(57)【要約】【課題】コンデンサの温度上昇を抑制できる電力変換装置を提供すること。【解決手段】電力変換装置１００は、ＡＣ電流とＤＣ電流が流れる入力バスバとしての第１入力Ｐバスバ５１と、ＡＣ電流とＤＣ電流が流れる入力バスバとしての入力Ｎバスバ６０とを備えている。また、電力変換装置１００は、第１入力Ｐバスバ５１に接続されたＡＣ電流のみが流れる分岐Ｐバスバ５３と、入力Ｎバスバ６０に接続されたＡＣ電流のみが流れる分岐Ｎバスバ６１とを備えている。さらに、電力変換装置１００は、分岐Ｐバスバ５３と分岐Ｎバスバ６１と電気的に接続されたフィルタコンデンサ６を備えている。【選択図】図１
2020162262.tif 000002
【特許請求の範囲】
【請求項１】
ＡＣ電流とＤＣ電流が流れる入力バスバとしての高電位側バスバ（５１、５２）と、
ＡＣ電流とＤＣ電流が流れる入力バスバとしての低電位側バスバ（６０）と、
前記高電位側バスバに接続されたＡＣ電流のみが流れる第１分岐バスバ（５３）と、
前記低電位側バスバに接続されたＡＣ電流のみが流れる第２分岐バスバ（６１，６１ａ）と、
前記第１分岐バスバと前記第２分岐バスバと電気的に接続されたコンデンサ（４、６）と、を備えている電力変換装置。
【請求項２】
前記高電位側バスバに電気的に接続された少なくとも一つのリアクトル（２１ａ，２１ｂ）と、
前記リアクトルに対向配置された、冷却水路（９１，９１１）が形成された水路形成部（９０，９０ａ）と、をさらに備えており、
前記高電位側バスバ及び前記低電位側バスバは、前記リアクトルに対して、前記水路形成部とは反対側に対向配置されている請求項１に記載の電力変換装置。
【請求項３】
前記リアクトルは、前記コンデンサと隣り合って配置されており、
前記リアクトルと前記コンデンサとの間に設けられ、前記水路形成部と接続された壁部（９２、９２ａ）を、さらに備えている請求項２に記載の電力変換装置。
【請求項４】
前記壁部は、前記コンデンサと隣り合った位置に、前記コンデンサの長手方向に沿って配置されている請求項３に記載の電力変換装置。
【請求項５】
複数の前記リアクトルが並んで配置されており、
前記壁部は、前記リアクトルと隣り合った位置に、前記リアクトルの並び方向に沿って配置されている請求項３又は４に記載の電力変換装置。
【請求項６】
前記壁部は、前記第１分岐バスバ及び前記第２分岐バスバと対向する位置に設けられている請求項３乃至５のいずれか１項に記載の電力変換装置。
【請求項７】
前記第１分岐バスバ及び前記第２分岐バスバのそれぞれは、前記コンデンサに接続されたコンデンサ側部位（６１ａ１）と、前記入力バスバに接続されたバスバ側部位（６１ａ２）と、前記コンデンサ側部位と前記バスバ側部位とが接続された接続部（６１ａ３、６１ａ４）と、を備えており、
前記壁部は、前記接続部と対向する位置に設けられている請求項６に記載の電力変換装置。
【請求項８】
前記壁部は、金属製の板状部である請求項３乃至７のいずれか１項に記載の電力変換装置。
【請求項９】
前記冷却水路は、前記水路形成部に加えて、前記壁部に形成されている請求項３乃至７のいずれか１項に記載の電力変換装置。
【請求項１０】
冷媒が流れる冷却器（３１）と、半導体スイッチング素子（３）を有し前記冷却器に取り付けられた半導体装置（３２）と、を含むパワーモジュール（３０）をさらに備えており、
前記高電位側バスバと前記低電位側バスバは、前記半導体スイッチング素子に電気的に接続されている請求項１乃至８のいずれか１項に記載の電力変換装置。
【請求項１１】
放電抵抗（５）をさらに備えており、
前記放電抵抗は、一方の端子が前記高電位側バスバと電気的に接続され、且つ、他方の端子が前記低電位側バスバと電気的に接続されている請求項１乃至１０のいずれか１項に記載の電力変換装置。
【発明の詳細な説明】
【技術分野】
【０００１】
本開示は、電力変換装置に関する。
【背景技術】
【０００２】
従来、電力変換装置の一例として、特許文献１に開示されたものがある。電力変換装置は、コンデンサモジュール、入力Ｐバスバ及び入力Ｎバスバなどを備えている。
【先行技術文献】
【特許文献】
【０００３】
【特許文献１】特開２０１６−１６５２０２号公報
【発明の概要】
【発明が解決しようとする課題】
【０００４】
ところで、ＤＣ電流が流れるバスバ(リアクトルを含む)は、ＡＣ電流(リプル電流)が流れる部位よりも流れる電流値が大きく発熱しやすい。特許文献１で開示された電力変換装置は、コンデンサモジュールのバスバにＤＣ電流が通電するバスバが近接して接合されているため、コンデンサの温度が上昇しやすいという問題がある。
【０００５】
本開示は、上記問題点に鑑みなされたものであり、コンデンサの温度上昇を抑制できる電力変換装置を提供することを目的とする。
【課題を解決するための手段】
【０００６】
上記目的を達成するために本開示は、
ＡＣ電流とＤＣ電流が流れる入力バスバとしての高電位側バスバ（５１、５２）と、
ＡＣ電流とＤＣ電流が流れる入力バスバとしての低電位側バスバ（６０）と、
高電位側バスバに接続されたＡＣ電流のみが流れる第１分岐バスバ（５３）と、
低電位側バスバに接続されたＡＣ電流のみが流れる第２分岐バスバ（６１，６１ａ）と、
第１分岐バスバと第２分岐バスバと電気的に接続されたコンデンサ（４、６）と、を備えていることを特徴とする。
【０００７】
このように、本開示は、コンデンサにＡＣ電流のみが通電されるように、高電位側バスバ及び低電位側バスバに対して、第１分岐バスバ及び第２分岐バスバを分岐して接続している。このため、本開示は、コンデンサにＤＣ電流が流れることによる、コンデンサの温度上昇を抑制できる。
【０００８】
なお、特許請求の範囲、及びこの項に記載した括弧内の符号は、一つの態様として後述する実施形態に記載の具体的手段との対応関係を示すものであって、本開示の技術的範囲を限定するものではない。
【図面の簡単な説明】
【０００９】
【図１】実施形態における電力変換装置の概略構成を示す平面図である。
【図２】実施形態における電力変換装置の概略構成を示す拡大平面図である。
【図３】図２のIII-III線に沿う断面図である。
【図４】実施形態におけるフィルタコンデンサの概略構成を示す断面図である。
【図５】実施形態における電力変換装置の概略構成を示す回路図である。
【図６】変形例１における電力変換装置の概略構成を示す拡大平面図である。
【図７】図６のVII-VII線に沿う断面図である。
【図８】変形例２における電力変換装置の概略構成を示す拡大平面図である。
【図９】図８のIX-IX線に沿う断面図である。
【図１０】変形例３における電力変換装置の概略構成を示す断面図である。
【発明を実施するための形態】
【００１０】
以下において、図面を参照しながら、本開示を実施するための複数の形態を説明する。各形態において、先行する形態で説明した事項に対応する部分には同一の参照符号を付して重複する説明を省略する場合がある。各形態において、構成の一部のみを説明している場合は、構成の他の部分については先行して説明した他の形態を参照し適用することができる。なお、以下においては、互いに直交する３方向をＸ方向、Ｙ方向、Ｚ方向と示す。
【００１１】
（実施形態）
図１〜図５を用いて、本実施形態の電力変換装置に関して説明する。本実施形態では、一例として、バッテリ２００の電力を電力変換して二つのモータ３１０、３２０を駆動する電力変換装置１００を採用する。
【００１２】
電力変換装置１００は、図１、図５に示すように、平滑コンデンサ４、放電抵抗５、フィルタコンデンサ６、リアクトル２１ａ，２１ｂ、パワーモジュール３０などを含む回路部を備えている。回路部は、これらの構成要素に加えて回路基板を含んでいてもよい。また、電力変換装置１００は、これら回路部品を電気的に接続するためのＰバスバ接続部５０ａ、第１入力Ｐバスバ５１、第２入力Ｐバスバ５２、分岐Ｐバスバ５３、Ｎバスバ接続部６０ａ、入力Ｎバスバ６０、分岐Ｎバスバ６１を備えている。
【００１３】
なお、本実施形態では、リアクトル２１ａ，２１ｂと、第１入力Ｐバスバ５１、第２入力Ｐバスバ５２と、入力Ｎバスバ６０をまとめて主回路ブロックとも称する。また、本実施形態では、Ｐバスバ接続部５０ａ、第１入力Ｐバスバ５１、第２入力Ｐバスバ５２、分岐Ｐバスバ５３、Ｎバスバ接続部６０ａ、入力Ｎバスバ６０、分岐Ｎバスバ６１をまとめてバスバとも称する。
【００１４】
さらに、電力変換装置１００は、回路部など収容するケース８０を備えている。なお、回路部は、上記構成要素以外の回路部品を備えていてもよい。
【００１５】
まずは、図５を用いて、電力変換装置１００の回路構成の一例に関して説明する。電力変換装置１００は、第１コンバータ１ａ、第２コンバータ１ｂ、第１インバータ２ａ、第２インバータ２ｂ、平滑コンデンサ４、放電抵抗５、フィルタコンデンサ６などを備えている。なお、本実施形態では、第１電流センサ４１と第２電流センサ４２とを備えた電力変換装置１００を採用している。
【００１６】
電力変換装置１００は、バッテリ２００の正端子に電気的に接続するためのＰ端子ｔ１と、バッテリ２００の負端子に電気的に接続するためのＮ端子ｔ２とを備えている。また、電力変換装置１００は、第１モータ３１０の三つの端子と電気的に接続するための第１Ｕ相端子ｔ１１、第１Ｖ相端子ｔ１２、第１Ｗ相端子ｔ１３を備えている。さらに、電力変換装置１００は、第２モータ３２０の三つの端子と電気的に接続するための第２Ｕ相端子ｔ２１、第２Ｖ相端子ｔ２２、第２Ｗ相端子ｔ２３を備えている。
【００１７】
第１コンバータ１ａは、第１リアクトル２１ａと、２つのスイッチング素子３が直列に接続された半導体装置３２と、を備えている。第２コンバータ１ｂは、第１コンバータ１ａと同様、第２リアクトル２１ｂと半導体装置３２とを備えている。スイッチング素子３は、半導体スイッチング素子に相当する。
【００１８】
本実施形態では、スイッチング素子３として、ＩＧＢＴとダイオードを備えたＲＣ−ＩＧＢＴを採用している。このダイオードは、ＩＧＢＴと逆並列に挿入されるフリーホイールダイオードと同様な働きをする。しかしながら、本開示は、これに限定されず、スイッチング素子３として、ＭＯＳＦＥＴや、ＲＣ−ＩＧＢＴとは異なるＩＧＢＴなどを採用することができる。なお、スイッチング素子３としてＩＧＢＴを採用した場合、半導体装置３２は、ＩＧＢＴと逆並列に接続されるフリーホイールダイオードを含んでいてもよい。
【００１９】
第１コンバータ１ａは、高電位側のスイッチング素子３と、低電位側のスイッチング素子３とを含んでいる。この高電位側のスイッチング素子３は、上アーム素子と言える。一方、低電位側のスイッチング素子３は、下アーム素子と言える。
【００２０】
第１コンバータ１ａは、高電位側のスイッチング素子３のコレクタが高電位ラインと電気的に接続され、エミッタが低電位側のスイッチング素子３のコレクタと電気的に接続されている。また、第１コンバータ１ａは、低電位側のスイッチング素子３のエミッタが低電位ラインと電気的に接続されている。そして、第１コンバータ１ａは、スイッチング素子３のゲートが、回路基板と電気的に接続されている。第１リアクトル２１ａは、一方の端子が高電位側のスイッチング素子３のエミッタと低電位側のスイッチング素子３のコレクタに電気的に接続され、他方の端子がＰ端子ｔ１に電気的に接続されている。第２コンバータ１ｂは、第１コンバータ１ａと同様に構成されている。
【００２１】
第１コンバータ１ａとバッテリ２００との間、及び第２コンバータ１ｂとバッテリ２００との間には、フィルタコンデンサ６が設けられている。フィルタコンデンサ６は、一方の端子がＰ端子ｔ１と電気的に接続され、他方の端子がＮ端子ｔ２と電気的に接続されている。
【００２２】
第１インバータ２ａは、第１モータ３１０の各相に対応して、３つの半導体装置３２を備えている。第１インバータ２ａの各半導体装置３２は、高電位側のスイッチング素子３のコレクタが高電位ラインと電気的に接続され、エミッタが低電位側のスイッチング素子３のコレクタと電気的に接続されている。また、各半導体装置３２は、低電位側のスイッチング素子３のエミッタが低電位ラインと電気的に接続されている。そして、各半導体装置３２は、スイッチング素子３のゲートが、回路基板と電気的に接続されている。
【００２３】
電力変換装置１００は、Ｐ端子ｔ１と、第１リアクトル２１ａ及び第２リアクトル２１ｂが第１入力Ｐバスバ５１で電気的に接続されている。電力変換装置１００は、各半導体装置３２における高電位側のスイッチング素子３のコレクタが、高電位ラインとしての第２入力Ｐバスバ５２で電気的に接続されている。詳述すると、高電位側のスイッチング素子３のコレクタは、図１に示すように、Ｐバスバ接続部５０ａを介して、第２入力Ｐバスバ５２と電気的に接続されている。第１入力Ｐバスバ５１と第２入力Ｐバスバ５２は、入力バスバとしての高電位側バスバに相当する。第１入力Ｐバスバ５１と第２入力Ｐバスバ５２は、ＡＣ電流とＤＣ電流が流れる。図２における二点鎖線は、ＤＣ電流を示している。一方、図２における一点鎖線は、ＡＣ電流を示している。この点は、図６、図８でも同様である。
【００２４】
また、電力変換装置１００は、Ｎ端子ｔ２と、各半導体装置３２における低電位側のスイッチング素子３のエミッタが入力Ｎバスバ６０で電気的に接続されている。詳述すると、低電位側のスイッチング素子３のエミッタは、図１に示すように、Ｎバスバ接続部６０ａを介して、入力Ｎバスバ６０と電気的に接続されている。入力Ｎバスバ６０は、入力バスバとしての低電位側バスバに相当する。入力Ｎバスバ６０は、図２に示すように、ＡＣ電流とＤＣ電流が流れる。
【００２５】
フィルタコンデンサ６は、一方の端子が分岐Ｐバスバ５３を介して第１入力Ｐバスバ５１に電気的に接続されており、他方の端子が分岐Ｎバスバ６１を介して入力Ｎバスバ６０に電気的に接続されている。分岐Ｐバスバ５３は、第１分岐バスバに相当する。分岐Ｎバスバ６１は、第２分岐バスバに相当する。分岐Ｐバスバ５３と分岐Ｎバスバ６１は、図２に示すように、ＡＣ電流のみが流れる。
【００２６】
なお、第１入力Ｐバスバ５１、第２入力Ｐバスバ５２、分岐Ｐバスバ５３、入力Ｎバスバ６０、分岐Ｎバスバ６１に関しては、後程詳しく説明する。
【００２７】
さらに、各半導体装置３２は、高電位側のスイッチング素子３のエミッタと低電位側のスイッチング素子３のコレクタとが、第１Ｕ相端子ｔ１１、第１Ｖ相端子ｔ１２、第１Ｗ相端子ｔ１３のそれぞれに電気的に接続されている。なお、各半導体装置３２は、図１に示すように、高電位側のスイッチング素子３のエミッタと低電位側のスイッチング素子３のコレクタとが出力バスバ７０に接続されている。各半導体装置３２は、出力バスバ７０を介して、第１電流センサ４１及び各端子ｔ１１〜ｔ１３と接続されている。
【００２８】
第２インバータ２ｂは、第２モータ３２０の各相に対応して、３つの半導体装置３２を備えている。第２インバータ２ｂは、第１インバータ２ａと同様に構成されている。そして、第２インバータ２ｂの各半導体装置３２は、高電位側のスイッチング素子３のエミッタと低電位側のスイッチング素子３のコレクタとが出力バスバ７０に接続されている。また、第２インバータ２ｂの各半導体装置３２は、出力バスバ７０を介して、第１電流センサ４１、及び第２Ｕ相端子ｔ２１、第２Ｖ相端子ｔ２２、第２Ｗ相端子ｔ２３のそれぞれに電気的に接続されている。
【００２９】
第１インバータ２ａ及び第２インバータ２ｂの入力側には、平滑コンデンサ４と放電抵抗５とが設けられている。つまり、平滑コンデンサ４と放電抵抗５とは、第１コンバータ１ａ及び第２コンバータ１ｂと、第１インバータ２ａ及び第２インバータ２ｂとの間に設けられている。この平滑コンデンサ４と放電抵抗５は、並列に設けられている。また、平滑コンデンサ４と放電抵抗５は、一方の端子が第２入力Ｐバスバ５２に電気的に接続されており、他方の端子が入力Ｎバスバ６０に電気的に接続されている。
【００３０】
本実施形態では、図１に示すように、一例として、第１Ｕ相端子ｔ１１〜第１Ｗ相端子ｔ１３、第２Ｕ相端子ｔ２１〜第２Ｗ相端子ｔ２３、出力バスバ７０が一体的に設けられた端子台４０を備えた電力変換装置１００を採用している。
【００３１】
端子台４０は、第１Ｕ相端子ｔ１１〜第１Ｗ相端子ｔ１３、第２Ｕ相端子ｔ２１〜第２Ｗ相端子ｔ２３、出力バスバ７０を一体的に保持する保持部を備えている。保持部は、例えば、樹脂などによって構成されている。よって、端子台４０は、例えばインサート成形によって、第１Ｕ相端子ｔ１１〜第１Ｗ相端子ｔ１３、第２Ｕ相端子ｔ２１〜第２Ｗ相端子ｔ２３、出力バスバ７０と保持部とを一体物とすることができる。しかしながら、本開示は、これに限定されず、第１Ｕ相端子ｔ１１〜第１Ｗ相端子ｔ１３、第２Ｕ相端子ｔ２１〜第２Ｗ相端子ｔ２３、出力バスバ７０が端子台４０として一体的に設けられていなくてもよい。
【００３２】
また、端子台４０は、各相の電流を検出するための電流センサ４１、４３が設けられていてもよい。電流センサ４１、４２は、保持部に保持された状態で、複数の出力バスバ７０のそれぞれに個別に設けられている。よって、端子台４０には、複数の出力バスバ７０と同数の電流センサが設けられている。電流センサ４１，４２は、回路基板と電気的に接続されており、各相の電流に応じた電気信号を回路基板に出力する。
【００３３】
なお、電力変換装置１００の回路構成は、これに限定されない。つまり、電力変換装置１００は、コンバータの個数やインバータの個数が上記に限定されない。また、電力変換装置１００は、コンバータとインバータの少なくとも一方が設けられていればよい。
【００３４】
次に、図１、図２、図３、図４を用いて、電力変換装置１００の構成に関して説明する。図２に示すように、電力変換装置１００は、平滑コンデンサ４、放電抵抗５、フィルタコンデンサ６、リアクトル２１ａ，２１ｂ、パワーモジュール３０、端子台４０がケース８０に固定されている。また、電力変換装置１００は、第１入力Ｐバスバ５１、第２入力Ｐバスバ５２、分岐Ｐバスバ５３、入力Ｎバスバ６０、分岐Ｎバスバ６１がケース８０内に収容されている。なお、ケース８０には、回路基板も固定されている。
【００３５】
平滑コンデンサ４とフィルタコンデンサ６は、Ｘ方向に並んで配置されている。また、平滑コンデンサ４とフィルタコンデンサ６は、それぞれの長手方向がＸ方向に沿って配置されている。
【００３６】
フィルタコンデンサ６は、図４に示すように、コンデンサ素子６ａ、第１端子６ｂ、第２端子６ｃ、コンデンサ封止部６ｄ、コンデンサケース６ｅ、第１内部バスバ６ｆ、第２内部バスバ６ｇを含んでいる。コンデンサ素子６ａは、第１端子６ｂと第２端子６ｃとを備えている。コンデンサ素子６ａは、コンデンサケース６ｅ内に配置され、コンデンサ封止部６ｄで覆われている。コンデンサケース６ｅは、環状の側壁と、側壁の一端に設けられた底壁とを備えた凹状の箱部材である。コンデンサ封止部６ｄは、エポキシ系樹脂などの電気絶縁性の樹脂である。
【００３７】
さらに、フィルタコンデンサ６は、第１端子６ｂに第１内部バスバ６ｆが電気的に接続され、第２端子６ｃに第２内部バスバ６ｇが電気的に接続されている。第１内部バスバ６ｆと第２内部バスバ６ｇは、一端側がコンデンサ封止部６ｄ内に埋設され、他端側がコンデンサ封止部６ｄから露出している。フィルタコンデンサ６は、第１内部バスバ６ｆに分岐Ｐバスバ５３の一端が接続されることで、分岐Ｐバスバ５３と電気的に接続されている。また、フィルタコンデンサ６は、第２内部バスバ６ｇに分岐Ｎバスバ６１の一端が接続されることで、分岐Ｎバスバ６１と電気的に接続されている。このように、コンデンサケース６ｅの内部には、入力バスバ５１，５２，６０は設けられていない。
【００３８】
第１リアクトル２１ａ、第２リアクトル２１ｂは、例えば、リアクトルケース内に配置され、絶縁性の樹脂で封止されている。リアクトルケースは、例えば、環状の側壁と、側壁の一端に設けられた底壁とを備えた凹状の箱部材である。
【００３９】
図１に示すように、第１リアクトル２１ａは、第１正極側端子２２ａと第１負極側端子２３ａが露出した状態で、樹脂によって封止されている。同様に、第２リアクトル２１ｂは、第２正極側端子２２ｂと第２負極側端子２３ｂが露出した状態で、樹脂によって封止されている。つまり、本実施形態では、リアクトル２１ａ，２１ｂがリアクトルケースに配置され樹脂によって封止された構造体を、リアクトル２１ａ，２１ｂと称している。
【００４０】
なお、リアクトルケースは、例えば、アルミニウムなどの熱伝導性が良好な金属で形成されている。これによって、電力変換装置１００は、第１リアクトル２１ａ、第２リアクトル２１ｂから発せられた熱をリアクトルケース外に放熱しやすくなる。また、リアクトルケースは、後程説明するケース８０と一体物として構成されていてもよい。
【００４１】
第１リアクトル２１ａと第２リアクトル２１ｂは、Ｘ方向に並んで配置されている。また、第１リアクトル２１ａと第２リアクトル２１ｂは、それぞれの長手方向がＸ方向に沿って配置されている。このため、リアクトル２１ａ，２１ｂの並び方向は、Ｘ方向に沿っていると言える。
【００４２】
リアクトル２１ａ，２１ｂは、コンデンサ４，６と隣り合って配置されている。本実施形態では、一例として、第１リアクトル２１ａがフィルタコンデンサ６と隣り合い、第２リアクトル２１ｂがフィルタコンデンサ６及び平滑コンデンサ４と隣り合っている例を採用している。
【００４３】
ところで、ＤＣ電流が流れる部位は、ＡＣ電流(リプル電流)が流れる部位よりも流れる電流値が大きく発熱しやすい。また、バッテリラインを流れる電流は、ＡＣ電流に対してＤＣ電流が数倍大きい。なお、ＡＣ電流は、電流のＡＣ成分と言える。一方、ＤＣ電流は、電流のＤＣ成分と言える。
【００４４】
リアクトル２１ａ，２１ｂは、入力Ｐバスバ５１，５２の電流経路上に配置されているため、ＤＣ電流が流れる。よって、リアクトル２１ａ，２１ｂは、ＡＣ電流が流れる部位よりも流れる電流値が大きく発熱しやすい。
【００４５】
図１に示すように、パワーモジュール３０は、冷却器３１、半導体装置３２などを備えている。冷却器３１は、半導体装置３２を冷却するためのものである。冷却器３１は、各半導体装置３２が過熱するのを抑制する、又は、各半導体装置３２の熱を放熱すると言い換えることができる。また、冷却器３１は、半導体装置３２に含まれているスイッチング素子３を冷却するものと言える。この冷却器３１は、第１水路口３１ａ、第２水路口３１ｂなどが取り付けられており、冷媒としての冷却水が流れる半導体冷却水路が形成されている。第２水路口３１ｂは、連結水路を介して第３水路口９１ａと連結されている。なお、冷却器３１は、例えば、特開２０１８−１０１６６６号公報に記載されたものなどを採用することができる。
【００４６】
パワーモジュール３０は、例えば、ばねなどの加圧部材によってケース８０に加圧されて、ケース８０に固定されている。本実施形態では、各半導体装置３２を両面から冷却する冷却器３１を採用している。しかしながら、本開示は、これに限定されない。
【００４７】
各半導体装置３２は、例えば、二つのスイッチング素子３とヒートシンクを兼ねた端子とが樹脂部材で封止されて一体化されたものを採用している。しかしながら、本開示は、これに限定されない。パワーモジュール３０は、コンバータ１ａ、１ｂ及びインバータ２ａ，２ｂにおける半導体装置３２を備えている。また、図１に示すように、パワーモジュール３０（各半導体装置３２）は、Ｐバスバ接続部５０ａ、Ｎバスバ接続部６０ａ、出力バスバ７０などと電気的に接続されている。
【００４８】
パワーモジュール３０は、高電位側の各スイッチング素子３のコレクタがＰバスバ接続部５０ａに電気的に接続され、低電位側のスイッチング素子３のエミッタがＮバスバ接続部６０ａに電気的に接続されている。パワーモジュール３０（各スイッチング素子３）は、Ｐバスバ接続部５０ａ及びＮバスバ接続部６０ａなどを介して、平滑コンデンサ４及び放電抵抗５などと電気的に接続されている。なお、Ｐバスバ接続部５０ａは、高電位ラインの一部とみなすことができる。一方、Ｎバスバ接続部６０ａは、低電位ラインの一部とみなすことができる。
【００４９】
また、パワーモジュール３０は、高電位側の各スイッチング素子３のエミッタと低電位側の各スイッチング素子３のコレクタに電気的に接続された出力端子を有している。各出力端子は、複数の出力バスバ７０と個別に電気的に接続されている。つまり、パワーモジュール３０は、各半導体装置３２が出力バスバ７０と個別に電気的に接続されている。
【００５０】
なお、パワーモジュール３０は、各スイッチング素子３のゲートが回路基板に電気的に接続されている。回路基板は、樹脂などの電気絶縁性部材に導電性の配線が形成されている。回路基板は、回路を構成する素子及び低圧信号コネクタが配線と電気的に接続された状態で実装されている。
【００５１】
また、回路基板は、各スイッチング素子３のゲートと配線とを電気的及び機械的に接続するために、例えばスルーホールが形成されている。つまり、スルーホールは、配線の一部が形成されており、各スイッチング素子３のゲートに接続されたゲート端子が挿入される。そして、回路基板は、スルーホールにゲート端子が挿入された状態で、はんだなどの導電性接続部材を介して、各スイッチング素子３のゲートと電気的及び機械的に接続されている。なお、回路基板は、ボルトなどの固定部材を介してケース８０に固定されている。
【００５２】
ケース８０は、回路部やバスバを収容可能に構成されている。ケース８０は、例えば、環状の側壁と、側壁の一端に設けられた底壁とを備えた凹状の箱部材などを採用できる。つまり、ケース８０は、側壁と底壁によって、回路部やバスバを収容する収容空間が形成している。この場合、ケース８０は、底壁に対向する開口端にカバーが取り付けられる。また、ケース８０は、上ケースと下ケースなど、複数の部材で構成されていてもよい。
【００５３】
ケース８０は、例えば、アルミニウムなどの熱伝導性が良好な金属で形成されている。これによって、電力変換装置１００は、回路部やバスバの熱をケース８０外に放熱しやすくなる。
【００５４】
ケース８０は、図３に示すように、底壁における収容空間とは反対側に、水路形成部９０が形成されている。水路形成部９０には、冷媒としての冷却水が流れる冷却水路９１が形成されている。水路形成部９０は、図１に示すように、第３水路口９１ａ、第４水路口９１ｂが形成されている。第３水路口９１ａは、連結水路を介して第２水路口３１ｂと連結されている。このため、冷却水は、冷却水路９１と冷却器３１との間で流れるように構成されている。本実施形態では、一例として、冷却器３１を流れた冷却水が、第２水路口３１ｂ、連結水路、第３水路口９１ａを流れて冷却水路９１に流れ込む例を採用する。
【００５５】
水路形成部９０は、図３に示すように、第１リアクトル２１ａに対向配置されている。また、水路形成部９０は、第２リアクトル２１ｂに対向配置されていてもよい。電力変換装置１００は、冷却水路９１に冷却水が流れることで、ケース８０及び水路形成部９０を介して、リアクトル２１ａ，２１ｂを冷却することができる。
【００５６】
なお、冷却することができるとは、熱を発している発熱対象から熱を逃がす、と言い換えることができる。例えば、電力変換装置１００は、リアクトル２１ａ，２１ｂから発せられた熱を水路形成部９０（冷却水）に逃がすことができる。
【００５７】
また、電力変換装置１００は、冷却水路９１、リアクトル２１ａ，２１ｂ、バスバの順番で積層配置されている。なお、バスバのうち、第１入力Ｐバスバ５１の一部、第２入力Ｐバスバ５２の一部、入力Ｎバスバ６０の一部がリアクトル２１ａ，２１ｂに積層配置されている。電力変換装置１００は、上記のように、リアクトル２１ａ，２１ｂを冷却することができる。このため、電力変換装置１００は、リアクトル２１ａ，２１ｂから発せられた熱が入力バスバ５１，５２，６０に伝達されることを抑制できる。つまり、電力変換装置１００は、入力バスバ５１，５２，６０が、リアクトル２１ａ，２１ｂによって加熱されることを抑制できる。なお、電力変換装置１００は、主回路ブロックを冷却することができるとも言える。
【００５８】
なお、水路形成部９０は、リアクトル２１ａ，２１ｂに加えて、平滑コンデンサ４、フィルタコンデンサ６、パワーモジュール３０に対向配置されていてもよい。特に、水路形成部９０は、平滑コンデンサ４、フィルタコンデンサ６に対向配置されることで、平滑コンデンサ４、フィルタコンデンサ６を冷却することができる。
【００５９】
水路形成部９０は、ケース８０の底壁の収容空間とは反対側に取り付けられるカバーであってもよい。例えば、ケース８０は、底壁の収容空間とは反対側に、冷却水路９１の一部となる溝が形成される。そして、冷却水路９１は、ケース８０に形成された溝と水路形成部９０とで囲まれた領域となる。
【００６０】
また、ケース８０は、第１入力Ｐバスバ５１の一端と、入力Ｎバスバ６０の一端が配置されるコネクタ１０が形成されている。コネクタ１０は、第１入力Ｐバスバ５１と入力Ｎバスバ６０と、電力変換装置１００の外部に設けられたバッテリ２００などとを電気的に接続するための部位である。このため、第１入力Ｐバスバ５１と入力Ｎバスバ６０は、バッテリラインとも言える。第２入力Ｐバスバ５２は、リアクトル２１ａ，２１ｂを介して、第１入力Ｐバスバ５１と電気的に接続されている。よって、バッテリラインは、第２入力Ｐバスバ５２を含んでいるとみなせる。
【００６１】
ここで、図１、図２、図３を用いて、バスバの構成に関して説明する。バスバは、回路部の回路部品を電気的に接続するために、導電性部材によって構成されている。図１に示すように、入力バスバ５１，５２，６０、分岐バスバ５３，６１は、リアクトル２１ａ，２１ｂの対向領域、及びその周辺に配置されている。一方、バスバ接続部５０ａ，６０ａは、パワーモジュール３０の対向領域、及びその周辺に配置されている。
【００６２】
入力バスバ５１，５２，６０は、例えば、板状の導電性部材を屈曲させて形成されている。よって、入力バスバ５１，５２，６０は、直線的な部位と、屈曲した部位とを含んでいる。これによって、入力バスバ５１，５２，６０は、コネクタ１０から一直線上に配置されていない各接続部位と接続しやすくなる。なお、入力バスバ５１，５２，６０は、Ｘ方向に沿う方向を長手方向、Ｙ方向に沿う方向を短手方向と言うこともできる。
【００６３】
分岐バスバ５３，６１は、例えば、板状の導電性部材が直線的に形成されている。バスバ接続部５０ａ，６０ａは、例えば、板状の導電性部材によって形成されている。
【００６４】
第１入力Ｐバスバ５１は、一端がコネクタ１０に配置されており、その他の部位が第１正極側端子２２ａ及び第２正極側端子２２ｂと接続されている。つまり、第１入力Ｐバスバ５１は、二つにわかれた部位を有しており、その一方が第１正極側端子２２ａと接続され、他方が第２正極側端子２２ｂと接続されている。第１入力Ｐバスバ５１は、溶接等によって、第１正極側端子２２ａ及び第２正極側端子２２ｂと電気的に接続されている。なお、以下のバスバの接続箇所は、同様に、溶接等によって電気的に接続されている。
【００６５】
第２入力Ｐバスバ５２は、一端側が第１負極側端子２３ａと第２負極側端子２３ｂと接続されており、他端側がＰバスバ接続部５０ａと接続されている。つまり、第２入力Ｐバスバ５２は、一端側が二つにわかれており、その一方が第１負極側端子２３ａと接続され、他方が第２負極側端子２３ｂと接続されている。入力Ｎバスバ６０は、一端がコネクタ１０に配置されており、その他の部位がＮバスバ接続部６０ａと接続されている。なお、第２入力Ｐバスバ５２とＰバスバ接続部５０ａとの接続箇所に関しては、図面が煩雑になるのを避けるために省略している。入力Ｎバスバ６０とＮバスバ接続部６０ａの接続箇所に関しても同様である。
【００６６】
このため、第２入力Ｐバスバ５２は、Ｐバスバ接続部５０ａを介してスイッチング素子３と電気的に接続されている。また、入力Ｎバスバ６０は、Ｎバスバ接続部６０ａを介してスイッチング素子３と電気的に接続されている。
【００６７】
分岐Ｐバスバ５３は、一端が第１端子６ｂと接続されており、他端が第１入力Ｐバスバ５１と接続されている。一方、分岐Ｎバスバ６１は、一端が第２端子６ｃと接続されており、他端が入力Ｎバスバ６０と接続されている。詳述すると、分岐Ｐバスバ５３は、第１入力Ｐバスバ５１の長手方向の一部に接続されている。同様に、分岐Ｎバスバ６１は、入力Ｎバスバ６０の長手方向の一部に接続されている。
【００６８】
このように、第１入力Ｐバスバ５１は、フィルタコンデンサ６を経由することなく、リアクトル２１ａ，２１ｂに接続されている。同様に、入力Ｎバスバ６０は、フィルタコンデンサ６を経由することなく、Ｎバスバ接続部６０ａに接続されている。なお、第１入力Ｐバスバ５１と入力Ｎバスバ６０は、図２に示すように、ＡＣ電流とＤＣ電流が流れる。また、第１入力Ｐバスバ５１と入力Ｎバスバ６０は、ＡＣ電流に対してＤＣ電流が数倍大きい。
【００６９】
電力変換装置１００は、フィルタコンデンサ６にＡＣ電流のみが通電されるように、第１入力Ｐバスバ５１及び入力Ｎバスバ６０に対して、分岐Ｐバスバ５３及び分岐Ｎバスバ６１を分岐して接続している。言い換えると、電力変換装置１００は、分岐Ｐバスバ５３及び分岐Ｎバスバ６１を、第１入力Ｐバスバ５１及び入力Ｎバスバ６０から分岐させることで、フィルタコンデンサ６にＤＣ電流が流入することを抑制している。
【００７０】
このため、分岐Ｐバスバ５３と分岐Ｎバスバ６１は、図２に示すように、ＡＣ電流のみが流れる。よって、電力変換装置１００は、第１入力Ｐバスバ５１から分岐Ｐバスバ５３、コンデンサ素子６ａ、分岐Ｎバスバ６１、入力Ｎバスバ６０へとＡＣ電流が流れるように構成される。
【００７１】
つまり、電力変換装置１００は、コンデンサケース６ｅの内部にＤＣ電流が流入することを抑制できる。フィルタコンデンサ６の内部とは、コンデンサケース６ｅの内部とも言える。また、電力変換装置１００は、コンデンサ素子６ａにＡＣ電流が流れつつ、フィルタコンデンサ６の内部にＤＣ電流が流れないように構成されている。
【００７２】
このため、電力変換装置１００は、フィルタコンデンサ６の内部にＤＣ電流が流れることによる、フィルタコンデンサ６の温度上昇を抑制できる。つまり、電力変換装置１００は、フィルタコンデンサ６の内部にＤＣ電流が流れるように構成されたものよりも、フィルタコンデンサ６の温度上昇を抑制できる。よって、電力変換装置１００は、フィルタコンデンサ６の短寿命化を抑制できるとともに、信頼性の低下を抑制できる。
【００７３】
さらに、電力変換装置１００は、上記のように、主回路ブロックを冷却することができる。このため、電力変換装置１００は、リアクトル２１ａ，２１ｂ、第１入力Ｐバスバ５１、及び入力Ｎバスバ６０からフィルタコンデンサ６が受熱することを抑制できる。よって、電力変換装置１００は、フィルタコンデンサ６の温度上昇を抑制しつつ、リアクトル２１ａ，２１ｂ、第１入力Ｐバスバ５１、及び入力Ｎバスバ６０からフィルタコンデンサ６が受熱することを抑制できる。従って、電力変換装置１００は、フィルタコンデンサ６の短寿命化をより一層抑制できるとともに、信頼性の低下をより一層抑制できる。
【００７４】
また、電力変換装置１００は、上記のように、スイッチング素子３が第２入力Ｐバスバ５２、Ｐバスバ接続部５０ａ、入力Ｎバスバ６０、Ｎバスバ接続部６０ａを介して、リアクトル２１ａ，２１ｂと接続されている。このため、電力変換装置１００は、第２入力Ｐバスバ５２、Ｐバスバ接続部５０ａ、入力Ｎバスバ６０、Ｎバスバ接続部６０ａ、リアクトル２１ａ，２１ｂを介して、スイッチング素子３を冷却することもできる。
【００７５】
スイッチング素子３は、冷却器３１に取り付けられている。また、Ｐバスバ接続部５０ａとＮバスバ接続部６０ａは、冷却器３１に対向配置されている。このため、電力変換装置１００は、冷却器３１によって、Ｐバスバ接続部５０ａとＮバスバ接続部６０ａとを冷却することができる。さらに、電力変換装置１００は、Ｐバスバ接続部５０ａとＮバスバ接続部６０ａを介して、第２入力Ｐバスバ５２、入力Ｎバスバ６０、リアクトル２１ａ，２１ｂを冷却することもできる。従って、電力変換装置１００は、リアクトル２１ａ，２１ｂ、第１入力Ｐバスバ５１、及び入力Ｎバスバ６０からフィルタコンデンサ６が受熱することをより一層抑制できる。これに伴って、電力変換装置１００は、フィルタコンデンサ６の短寿命化をより一層抑制できるとともに、信頼性の低下をより一層抑制できる。
【００７６】
また、電力変換装置１００は、第２入力Ｐバスバ５２と入力Ｎバスバ６０にわたって、放電抵抗５が接続されている。これによって、電力変換装置１００は、第２入力Ｐバスバ５２と入力Ｎバスバ６０を介して、放電抵抗５を冷却することができる。
【００７７】
なお、本実施形態では、分岐Ｐバスバ５３と分岐Ｎバスバ６１で接続されるコンデンサの一例として、フィルタコンデンサ６を採用している。しかしながら、本開示は、これに限定されない。本開示は、平滑コンデンサ４、Ｙコンデンサ、Ｘコンデンサなどが、分岐Ｐバスバ５３と分岐Ｎバスバ６１で接続されていてもよい。
【００７８】
以上、本開示の好ましい実施形態について説明した。しかしながら、本開示は、上記実施形態に何ら制限されることはなく、本開示の趣旨を逸脱しない範囲において、種々の変形が可能である。以下に、本開示のその他の形態として、変形例１〜３に関して説明する。上記実施形態及び変形例１〜３は、それぞれ単独で実施することも可能であるが、適宜組み合わせて実施することも可能である。本開示は、実施形態において示された組み合わせに限定されることなく、種々の組み合わせによって実施可能である。
【００７９】
（変形例１）
図６、図７を用いて、変形例１の電力変換装置に関して説明する。変形例１の電力変換装置は、壁部９２を備えている点が電力変換装置１００と異なる。
【００８０】
壁部９２は、例えば、アルミニウムなどの熱伝導性が良好な金属で形成されている。壁部９２は、水路形成部９０ａと接続されている。本実施形態では、水路形成部９０ａと一体物として形成された壁部９２を採用している。壁部９２は、水路形成部９０ａと熱的に接続されていればよい。つまり、壁部９２は、冷却水によって冷やされた冷却水路９１１と熱的に接続されている。なお、水路形成部９０ａは、水路形成部９０と同様、冷却水が流れる冷却水路９１１が形成されている。
【００８１】
このため、壁部９２は、冷却水路９１１を介して、冷却水で冷やされている。よって、壁部９２は、冷却用壁部とも言える。
【００８２】
なお、壁部９２は、水路形成部９０ａと別体に構成され、熱伝導性が良好な接着部材を介して、水路形成部９０ａに取り付けられていてもよい。また、壁部９２は、ケース８０及び水路形成部９０ａと一体物として構成されていてもよい。
【００８３】
図７に示すように、壁部９２は、ケース８０の底面から、収容空間側（Ｚ方向）に突出した、板状の部位である。よって、壁部９２は、周辺よりも突出している。また、壁部９２は、Ｘ方向に沿って設けられている。言い換えると、壁部９２は、ケース８０の長手方向に沿って設けられている。このため、変形例１の電力変換装置は、ケース８０の剛性を向上することができる。なお、壁部９２は、水路形成部９０ａとは異なり、中空形状となっていない。
【００８４】
壁部９２は、図６に示すように、フィルタコンデンサ６の長手方向に沿って配置されている。また、壁部９２は、フィルタコンデンサ６と隣り合って配置されている。詳述すると、壁部９２は、Ｙ方向において、フィルタコンデンサ６と隣り合って配置されている。よって、変形例１の電力変換装置は、壁部９２でフィルタコンデンサ６を冷却することができる。
【００８５】
壁部９２は、フィルタコンデンサ６のＸ方向における全域と対向していてもよいし、部分的に対向していてもよい。壁部９２は、フィルタコンデンサ６のＸ方向における一部のみと対向しているよりも、全域と対向している方が、フィルタコンデンサ６の冷却効率をあげることができる。一方、壁部９２は、フィルタコンデンサ６のＸ方向における全域と対向しているよりも、一部のみと対向している方が、ケース８０内の占有面積を小さくすることができる。よって、変形例１の電力変換装置は、体格が大型化することを抑制しつつ、壁部９２でフィルタコンデンサ６を冷却することができる。
【００８６】
さらに、壁部９２は、図６に示すように、リアクトル２１ａ，２１ｂの並び方向に沿って配置されている。また、壁部９２は、第１リアクトル２１ａと隣り合って配置されている。詳述すると、壁部９２は、Ｙ方向において、第１リアクトル２１ａと隣り合って配置されている。つまり、壁部９２は、第１リアクトル２１ａとフィルタコンデンサ６との間に設けられている。よって、変形例１の電力変換装置は、壁部９２で第１リアクトル２１ａを冷却することができる。
【００８７】
壁部９２は、第１リアクトル２１ａのＸ方向における全域と対向していてもよいし、部分的に対向していてもよい。また、壁部９２は、第１リアクトル２１ａのＸ方向における全域だけでなく、第２リアクトル２１ｂのＸ方向における全域と対向していてもよい。つまり、壁部９２は、第１リアクトル２１ａと第２リアクトル２１ｂのＸ方向における少なくとも一部と対向していればよい。
【００８８】
フィルタコンデンサ６の場合と同様、壁部９２は、リアクトル２１ａ，２１ｂとの対向領域が狭いより、広い方がリアクトル２１ａ，２１ｂの冷却効率をあげることができる。そして、壁部９２は、リアクトル２１ａ，２１ｂとの対向領域が広いより、狭い方がケース８０内の占有面積を小さくすることができる。よって、変形例１の電力変換装置は、体格が大型化することを抑制しつつ、壁部９２でリアクトル２１ａ，２１ｂを冷却することができる。また、変形例１の電力変換装置は、壁部９２でリアクトル２１ａ，２１ｂを冷却することができるため、リアクトル２１ａ，２１ｂからフィルタコンデンサ６に熱が伝達されることを抑制できる。よって、変形例１の電力変換装置は、フィルタコンデンサ６の短寿命化を抑制できるとともに、信頼性の低下を抑制できる。
【００８９】
また、変形例１の電力変換装置は、リアクトル２１ａ，２１ｂからフィルタコンデンサ６に熱が伝達されることを抑制できるため、リアクトルの数を増やして、より大きなＤＣ電流を流すことができる。よって、本変形例では、二つのリアクトル２１ａ，２１ｂが並んで配置された例を採用している。しかしながら、本変形例は、三つ以上のリアクトルが並んで配置されていてもよい。
【００９０】
さらに、壁部９２は、分岐Ｐバスバ５３及び分岐Ｎバスバ６１と対向する位置に設けられている。壁部９２は、分岐Ｐバスバ５３の一部、及び分岐Ｎバスバ６１の一部と対向配置されている。分岐Ｐバスバ５３及び分岐Ｎバスバ６１は、Ｚ方向において、壁部９２の上方に配置されている。
【００９１】
これによって、変形例１の電力変換装置は、分岐Ｐバスバ５３及び分岐Ｎバスバ６１を冷却することができる。また、変形例１の電力変換装置は、第１リアクトル２１ａから発せられた熱が、第１入力Ｐバスバ５１及び入力Ｎバスバ６０、分岐Ｐバスバ５３及び分岐Ｎバスバ６１を介して、フィルタコンデンサ６に伝達されることを抑制できる。
【００９２】
本変形例では、フィルタコンデンサ６とリアクトル２１ａ，２１ｂの両方に対向配置された壁部９２を採用している。つまり、本変形例では、フィルタコンデンサ６とリアクトル２１ａ，２１ｂの両方に対向配置された壁部９２を採用している。しかしながら、本開示は、これに限定されず、フィルタコンデンサ６とリアクトル２１ａ，２１ｂの少なくとも一方に対向配置されていればよい。また、壁部９２は、分岐Ｐバスバ５３及び分岐Ｎバスバ６１と対向する位置に設けられていなくてもよい。
【００９３】
また、第１入力Ｐバスバ５１、第２入力Ｐバスバ５２、入力Ｎバスバ６０の少なくとも一つは、壁部９２と対向する位置に設けられていてもよい。これによって、変形例１の電力変換装置は、壁部９２に対向配置された入力バスバ５１，５２，６０を冷却することができる。
【００９４】
さらに、本開示は、フィルタコンデンサ６とリアクトル２１ａ，２１ｂのいずれにも対向配置されており、入力バスバ５１，５２，６０の少なくとも一つと対向配置された壁部９２であっても採用できる。この場合であっても、変形例１の電力変換装置は、壁部９２に対向配置された入力バスバ５１，５２，６０を冷却することができる。なお、変形例１の電力変換装置は、電力変換装置１００と同様の効果を奏することができる。
【００９５】
（変形例２）
図８、図９を用いて、変形例２の電力変換装置に関して説明する。変形例２の電力変換装置は、壁部９２ａの構成が変形例１の電力変換装置と異なる。
【００９６】
図８、図９に示すように、壁部９２ａは、壁部９２と同様の位置に設けられている。しかしながら、図９に示すように、壁部９２ａは、内部に冷却水が流れるように構成されている。つまり、冷却水路９１１は、水路形成部９０ａに加えて、壁部９２ａにも形成されている。
【００９７】
これによって、変形例２の電力変換装置は、変形例１の電力変換装置よりもフィルタコンデンサ６の冷却効率を向上することができる。なお、変形例２の電力変換装置は、変形例１の電力変換装置と同様の効果を奏することができる。
【００９８】
（変形例３）
図１０を用いて、変形例３の電力変換装置に関して説明する。変形例３の電力変換装置は、分岐Ｎバスバ６１ａの構成が変形例２の電力変換装置と異なる。なお、ここでは、分岐Ｎバスバ６１ａを用いて説明するが、分岐Ｐバスバ５３に関しても同様の構成を採用することができる。
【００９９】
分岐Ｎバスバ６１ａは、コンデンサ側部位６１ａ１とバスバ側部位６１ａ２とに分割されている。コンデンサ側部位６１ａ１は、一方の端部がフィルタコンデンサ６に接続されている。バスバ側部位６１ａ２は、一方の端部が入力Ｎバスバ６０に接続されている。そして、コンデンサ側部位６１ａ１とバスバ側部位６１ａ２は、他方の端部同士が接続されている。
【０１００】
コンデンサ側部位６１ａ１とバスバ側部位６１ａ２は、端部同士が対向配置されている。コンデンサ側部位６１ａ１とバスバ側部位６１ａ２は、対向配置される部位に、厚み方向に貫通する貫通穴が設けられている。コンデンサ側部位６１ａ１とバスバ側部位６１ａ２は、貫通穴にボルト６１ａ３が挿入される。そして、コンデンサ側部位６１ａ１とバスバ側部位６１ａ２は、ボルト６１ａ３とナット６１ａ４によって、機械的及び電気的に接続されている。ボルト６１ａ３とナット６１ａ４は、接続部に相当する。
【０１０１】
このように、分岐Ｎバスバ６１ａは、分岐Ｎバスバ６１よりも部分的に厚みが増した部位が設けられている。分岐Ｎバスバ６１ａは、コンデンサ側部位６１ａ１とバスバ側部位６１ａ２の端部同士が対向配置されており、且つ、その部位がボルト６１ａ３とナット６１ａ４で接続されている。分岐Ｎバスバ６１ａは、ボルト６１ａ３とナット６１ａ４が固定されている部位が、分岐Ｎバスバ６１よりも厚みが増した部位と言える。ボルト６１ａ３とナット６１ａ４が固定されている部位は、分岐Ｎバスバ６１ａにおける、その周辺よりも体積が大きい部位となっている。
【０１０２】
壁部９２ａは、ボルト６１ａ３とナット６１ａ４が固定されている部位と対向する位置に設けられている。このため、変形例３の電力変換装置は、壁部９２ａによって、分岐Ｎバスバ６１ａにおける体積が大きい部位を積極的に冷却することができる。
【０１０３】
これによって、変形例３の電力変換装置は、変形例２の電力変換装置よりも分岐Ｎバスバ６１ａの冷却効率を向上することができる。なお、変形例３の電力変換装置は、変形例２の電力変換装置と同様の効果を奏することができる。
【０１０４】
なお、変形例３の電力変換装置は、壁部９２ａのかわりに壁部９２を採用することもできる。
【符号の説明】
【０１０５】
３…スイッチング素子、４…平滑コンデンサ、５…放電抵抗、６…フィルタコンデンサ、１０…コネクタ、２１ａ…第１リアクトル、２１ｂ…第２リアクトル、３０…パワーモジュール、３１…冷却器、３２…半導体装置、５１…第１入力Ｐバスバ、５２…第２入力Ｐバスバ、５３…分岐Ｐバスバ、６０…入力Ｎバスバ、６１…分岐Ｎバスバ、９０，９０ａ…水路形成部、９１，９１１…冷却水路、９１ａ…第３水路口、９１ｂ…第４水路口、９２，９２ａ…壁部、１００…電力変換装置
【図１】
2020162262.tif 000003
【図２】
2020162262.tif 000004
【図３】
2020162262.tif 000005
【図４】
2020162262.tif 000006
【図５】
2020162262.tif 000007
【図６】
2020162262.tif 000008
【図７】
2020162262.tif 000009
【図８】
2020162262.tif 000010
【図９】
2020162262.tif 000011
【図１０】
2020162262.tif 000012